(57)【要約】【課題】筐体前面からの異物の侵入が抑制されるとともに、外気導入口が閉塞した場合においても、外気の導入が確保される衣類乾燥機を提供する。【解決手段】本発明の衣類乾燥機は、筐体１１と、被乾燥衣類を収容するドラムと、ドラム内に送風される温風を生成する温風生成装置と、筐体１１内の前方でかつ下方に設けられ、筐体１１内に外気を導入する送風機１４と、筐体１１の底面でかつ送風機１４の前方に形成された外気導入口２６と、を備え、筐体１１の底面には、送風機１４と連通した開口２８が形成された構成を有する。この構成により、衣類乾燥機の筐体１１の前面には隙間が無く異物の侵入が抑制され、送風機１４と連通した開口２８が形成されるため、外気導入口２６が閉塞した場合においても、開口２８から外気の導入が確保される。【選択図】図２
2014030473.tif 000002
【特許請求の範囲】
【請求項１】
筐体と、
被乾燥衣類を収容するドラムと、
前記ドラム内に送風される温風を生成する温風生成装置と、
前記筐体内の前方でかつ下方に設けられ、前記筐体内に外気を導入する送風機と、
前記筐体の底面でかつ前記送風機の前方に形成された外気導入口と、を備え、
前記筐体の底面には、前記送風機と連通した開口が形成された衣類乾燥機。
【請求項２】
前記開口は、前記外気導入口と並列して形成された請求項１に記載の衣類乾燥機。
【請求項３】
前記外気導入口は、複数の孔の集合として構成された請求項１または２に記載の衣類乾燥機。
【請求項４】
前記開口は、ダクトを介して前記送風機と連通した請求項１に記載の衣類乾燥機。
【請求項５】
前記温風生成装置は、圧縮機を含むヒートポンプ装置からなる請求項１に記載の衣類乾燥機。
【発明の詳細な説明】
【技術分野】
【０００１】
本発明は、衣類を乾燥するための衣類乾燥機に関する。
【背景技術】
【０００２】
従来の衣類乾燥機は、温風を用いて衣類を乾燥するとともに、筐体内を冷却する送風機を有する。衣類乾燥機の筐体内の空気は、衣類の乾燥によって高温かつ高湿となる。送風機は、筐体外から外気を導入し、高温かつ高湿となった筐体内の空気を冷却するとともに、この空気を筐体外へ放出する。また、温風を生成するためにヒートポンプ装置が用いられる衣類乾燥機においては、送風機によって、ヒートポンプ装置の冷却も併せて行われる。ヒートポンプ装置の、特に圧縮機を冷却することにより、ヒートポンプ装置の効率が向上する。
【０００３】
外気導入口は、筐体の底面に形成される。これにより、外気導入口が筐体の前面に形成された場合に比べて、筐体内への水や異物の侵入が抑制される。また、筐体の底面近傍には埃が発生し易いため、外気導入口に、埃を捕集するフィルタを有する衣類乾燥機がある（例えば特許文献１参照）。
【先行技術文献】
【特許文献】
【０００４】
【特許文献１】特開２００７−３０１２２０号公報
【発明の概要】
【発明が解決しようとする課題】
【０００５】
しかしながら、特許文献１に記載の衣類乾燥機において、フィルタには埃が付着するため、目詰まり（すなわち、フィルタの空隙が閉塞すること）が生じ易い。フィルタに目詰まりが発生した場合、外気の導入効率が低下する。このため、特許文献１に記載の衣類乾燥機は、使用者がフィルタを前方に引き出すことにより、フィルタを清掃することができる構成を有する。しかしながら、この構成により、衣類乾燥機の筐体前面はフィルタとの隙間を有し、かえって水や異物の侵入が生じる。また、衣類乾燥機の筐体前面にはフィルタの一部が露見し、衣類乾燥機の筐体前面の美観が損なわれる。
【０００６】
なお、衣類乾燥機は、側方の空間が狭い場所に設置されることが多いため、衣類乾燥機の側方へフィルタが引き出される構成を採用することは困難である。
【０００７】
本発明は、上記従来の課題を解決するもので、筐体前面に隙間やフィルタの露見が無く、異物の侵入が抑制されるとともに、外気導入口が閉塞した場合においても、外気の導入が確保される衣類乾燥機を提供することを目的とする。
【課題を解決するための手段】
【０００８】
本発明の衣類乾燥機は、筐体と、被乾燥衣類を収容するドラムと、ドラム内に送風される温風を生成する温風生成装置と、筐体内の前方でかつ下方に設けられ、筐体内に外気を導入する送風機と、筐体の底面でかつ送風機の前方に形成された外気導入口と、を備え、筐体の底面には、送風機と連通した開口が形成された構成を有する。
【０００９】
この構成により、衣類乾燥機の筐体前面には隙間が無く異物の侵入が抑制され、送風機と連通した開口が形成されるため、外気導入口が閉塞した場合においても、開口から外気の導入が確保される。
【発明の効果】
【００１０】
本発明の衣類乾燥機は、異物の侵入が抑制できるとともに、外気の導入が確保できる。
【図面の簡単な説明】
【００１１】
【図１】本発明の実施の形態における衣類乾燥機の側断面を示す構成図
【図２】同衣類乾燥機における外気導入口の近傍の斜視図
【発明を実施するための形態】
【００１２】
以下、図面を参照しつつ、本発明の実施の形態について説明する。なお、本実施の形態によって本発明が限定されるものではない。
【００１３】
図１は、本実施の形態における衣類乾燥機の側断面を示す構成図である。衣類乾燥機１０は、筐体１１の内部に、ドラム１２と、ヒートポンプ装置１３からなる温風生成装置と、送風機１４とを有する。衣類乾燥機１０に設けられたドア１５を開けることにより、ドラム１２の内部に被乾燥衣類を収容することができる。ドラム１２は、モータ１６によって、プーリ１７やベルト１８を介して回転する。
【００１４】
筐体１１の下方に配設されたヒートポンプ装置１３は、圧縮機１９、凝縮器２０、蒸発器２１等を配管によって連通させて構成され、内部に冷媒が循環する。乾燥ファン２２が動作することにより、破線矢印に示すような空気の流れが発生する。蒸発器２１によって除湿された空気は、凝縮器２０によって加熱され、乾燥した温風となる。この温風が、乾燥ダクト２３を通って、ドラム１２の内部に入る。ドラム１２の回転によって撹拌する被乾燥衣類に、この温風が当たることにより、衣類が乾燥する。なお、乾燥ファン２２は、モータ１６によって、プーリ２４やベルト２５を介して回転する。
【００１５】
送風機１４は、筐体１１内の前方（図１において左側）でかつ、下方に配設される。筐体１１の底面でかつ、送風機１４の前方には、外気導入口２６が形成される。送風機１４が動作することにより、実線矢印に示すように、筐体外の外気が外気導入口２６から導入され、筐体１１内に流れる。外気導入口２６が送風機１４の前方、すなわち送風機１４の吸い込み側に形成されることにより、外気導入口２６が送風機１４の側方や後方に形成された場合に比べて、空気の流れの効率が良い。また、外気導入口２６が送風機１４に近いほど、および／または、外気導入口２６と送風機１４との間に障害物が少ないほど、この空気の流れの効率は向上する。空気の流れの効率が良いため、送風機１４としては、安価である軸流ファンを用いることができる。
【００１６】
衣類乾燥機１０の筐体１１内の空気は、ドラム１２、乾燥ダクト２３、モータ１６、ヒートポンプ装置１３等からの放熱によって高温となる。筐体１１内に入った外気は、この高温となった筐体１１内の空気を冷却するとともに、筐体１１外へ放出する。また、筐体１１内に入った外気は、ヒートポンプ装置１３の、特に圧縮機１９を冷却する。これにより、ヒートポンプ装置１３の効率が向上する。なお、衣類乾燥機１０は、側方、後方、上方の空間が狭い場所に設置されることが多いため、衣類乾燥機１０からの放熱、放湿の影響によって、外気の温度や湿度は、一般に衣類乾燥機１０の後方に比べて前方の方が低い。このため、衣類乾燥機１０の前方の外気を導入した方が、冷却効率は向上する。すなわち、外気導入口２６は、衣類乾燥機の前方に形成される方が良い。これに伴い、送風機１４も、筐体１１内の前方に配設される方が良い。
【００１７】
図２は、外気導入口２６の近傍の斜視図である。すなわち、衣類乾燥機１０の筐体１１の底面の前方を、外部から見た斜視図である。
【００１８】
外気導入口２６は、複数の孔２７の集合として構成される。外気は、送風機１４によって、実線矢印で示すように、外気導入口２６を構成する各々の孔２７から、筐体１１の内部に導入される。外気導入口２６が比較的小さな孔２７から構成されることにより、大きな異物が筐体１１の内部に進入することはない。
【００１９】
外気導入口２６は比較的小さな孔２７から構成されることにより、フィルタの役目を果たす。一方、孔２７が比較的小さいため、孔２７には、例えば紙切れなどが付着する可能性がある。紙切れの付着によって、外気導入口２６が閉塞した場合は、外気の導入が充分には行われない。本発明の衣類乾燥機１０は、筐体１１の底面でかつ外気導入口２６の近傍に、開口２８が形成される。
【００２０】
図２において、外気導入口２６と開口２８とは並列して形成される。開口２８は送風機１４と連通する。このため、万一、外気導入口２６が閉塞した場合であっても、一点鎖線矢印に示すように、開口２８から外気が導入される。これにより、筐体１１内の冷却や、ヒートポンプ装置１３の冷却が確保される。なお、開口２８と送風機１４とを連通するダクト２９を設けることにより、開口２８からの外気の導入を確実に行うことができる。
【００２１】
また、外気導入口２６および開口２８が、筐体１１の底面に形成されるため、外気導入口２６および開口２８が筐体１１の前面に形成された場合に比べて、筐体１１内への水や異物の侵入が抑制される。さらに、筐体１１の前面の美観が損なわれることもない。
【産業上の利用可能性】
【００２２】
本発明にかかる衣類乾燥機は、外気を確実に導入することができるため、衣類乾燥機や洗濯乾燥機などに利用可能である。
【符号の説明】
【００２３】
１０  衣類乾燥機
１１  筐体
１２  ドラム
１３  ヒートポンプ装置（温風生成装置）
１４  送風機
１５  ドア
１６  モータ
１７  プーリ
１８  ベルト
１９  圧縮機
２０  凝縮器
２１  蒸発器
２２  乾燥ファン
２３  乾燥ダクト
２４  プーリ
２５  ベルト
２６  外気導入口
２７  孔
２８  開口
２９  ダクト
【図１】
2014030473.tif 000003
【図２】
2014030473.tif 000004